【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
位置算出用の複数の衛星と、端末と、演算装置とを用い、前記端末によって複数の衛星から受信された位置算出用信号に基づいて当該端末の位置を算出する位置算出方法であって、
前記演算装置において前記複数の衛星を特定する過程と、
特定された前記複数の衛星を前記演算装置から前記端末に通知する過程と、
前記端末が、前記演算装置から通知されてきた前記複数の衛星から前記位置算出用信号を受信する過程と、
前記端末が、前記複数の衛星から受信した位置算出用信号に基づいて得られる情報を前記演算装置に伝送する過程と、
前記演算装置が、前記端末から伝送されてきた前記情報に基づいて当該端末の位置を算出する過程と
を有することを特徴とする位置算出方法。
【請求項２】
位置算出用の複数の衛星と、端末と、演算装置とを用い、前記端末によって複数の衛星から受信された位置算出用信号に基づいて当該端末の位置を算出する位置算出方法であって、
前記演算装置において、前記端末が在圏するエリアの位置に基づいて前記複数の衛星を特定する過程と、
特定された前記複数の衛星を前記演算装置から前記端末に通知する過程と、
前記端末が、前記演算装置から通知されてきた前記複数の衛星から前記位置算出用信号を受信する過程と
を有することを特徴とする位置算出方法。
【請求項３】
請求項２記載の位置算出方法において、
前記端末が、前記複数の衛星から受信した位置算出用信号に基づいて得られる情報を、前記演算装置に伝送する過程と、
前記演算装置が、前記端末から伝送されてきた前記情報に基づいて当該端末の位置を算出する過程と
を有することを特徴とする位置算出方法。
【請求項４】
請求項２記載の位置算出方法において、
前記端末が前記複数の衛星から受信した位置算出用信号に基づいて自身の位置を算出する過程を有することを特徴とする位置算出方法。
【請求項５】
端末が複数の衛星から受信した位置算出用信号に基づいてその端末の位置を算出するために、当該複数の衛星を演算装置から前記端末に通知する衛星情報通知方法であって、
前記演算装置が、前記端末が在圏するエリアの位置に基づいて前記複数の衛星を特定する過程と、
前記演算装置が、特定された前記複数の衛星を前記端末に通知する過程と
を有することを特徴とする衛星情報通知方法。
【請求項６】
請求項５記載の衛星情報通知方法において、
前記演算装置において、前記複数の衛星から前記端末が受信した位置算出用信号に基づいて得られる情報を当該端末から受け取る過程と、
前記演算装置が、前記端末から受け取った前記情報に基づいて当該端末の位置を算出する過程と
を有することを特徴とする衛星情報通知方法。
【請求項７】
端末と、前記端末と通信を行う演算装置とを備え、前記端末が複数の衛星から受信した位置算出用信号に基づいて当該端末の位置を算出する位置算出システムであって、
前記演算装置は、前記端末が在圏するエリアの位置に基づいて前記複数の衛星を特定し、特定した前記複数の衛星を前記端末に通知し、
前記端末は、前記演算装置から通知されてくる前記複数の衛星から前記位置算出用信号を受信することを特徴とする位置算出システム。
【請求項８】
請求項７記載の位置算出システムにおいて、
前記端末は、前記複数の衛星から受信した位置算出用信号に基づいて得られる情報を前記演算装置に伝送し、
前記演算装置は、前記端末から伝送されてきた前記情報に基づいて当該端末の位置を算出することを特徴とする位置算出システム。
【請求項９】
請求項７記載の位置算出システムにおいて、
前記端末が、前記複数の衛星から受信した位置算出用信号に基づいて自身の位置を算出することを特徴とする位置算出システム。
【請求項１０】
端末が複数の衛星から受信した位置算出用信号に基づいて当該端末の位置を算出する位置算出システムにおける演算装置であって、
前記端末が在圏するエリアの位置に基づいて、当該端末が受信すべき位置算出用信号の送信元となる複数の衛星を特定し、特定した前記複数の衛星を当該端末に通知することを特徴とする演算装置。
【請求項１１】
請求項１０記載の演算装置において、
前記複数の衛星から前記端末が受信した位置算出用信号に基づいて得られる情報を当該端末から受け取り、受け取った当該情報に基づいて当該端末の位置を算出することを特徴とする演算装置。
【請求項１２】
端末によって複数の衛星から受信された位置算出用信号に基づいて当該端末の位置を算出する演算装置を含んだ位置算出システムにおける端末であって、
前記演算装置と通信を行うための送受信装置と、
前記衛星から位置算出用信号を受信するための受信機と、
前記送受信装置及び前記受信機を制御する制御部とを備え、
前記制御部は、前記演算装置から送信されてくる、前記複数の衛星を特定する衛星情報を前記送受信装置によって受信すると、当該複数の衛星から送信されてくる位置算出用信号を前記受信機に受信させ、受信した位置算出用信号に基づいて得た情報を前記送受信装置によって前記演算装置に送信させることを特徴とする端末。
【請求項１３】
端末によって複数の衛星から受信された位置算出用信号に基づいて当該端末の位置を算出する演算装置を含んだ位置算出システムにおける端末であって、
前記演算装置と通信を行うための送受信装置と、
前記衛星から位置算出用信号を受信するための受信機と、
前記送受信装置及び前記受信機を制御する制御部とを備え、
前記演算装置において端末が在圏するエリアの位置に基づいて前記複数の衛星が特定され、当該演算装置から当該複数の衛星を特定する衛星情報が送信されてくると、前記制御部は、前記送受信装置によって当該衛星情報を受信し、受信した衛星情報によって特定される複数の衛星から送信されてくる位置算出用信号を前記受信機に受信させることを特徴とする端末。
【請求項１４】
請求項１３に記載の端末において、
前記制御部は、前記受信機に受信させた位置算出用信号に基づいて得た情報を、前記送受信装置によって前記演算装置に送信させることを特徴とする端末。
【請求項１５】
請求項１３に記載の端末において、
前記制御部は、前記受信機に受信させた位置算出用信号に基づいて自身の位置を算出することを特徴とする端末。
【手続補正２】
【補正対象書類名】明細書
【補正対象項目名】発明の名称
【補正方法】変更
【補正の内容】
【発明の名称】位置算出方法、衛星情報通知方法、位置算出システム、演算装置及び端末
【手続補正３】
【補正対象書類名】明細書
【補正対象項目名】０００１
【補正方法】変更
【補正の内容】
【０００１】
本発明は、移動通信システムの携帯型移動機に用いて好適な位置算出の仕組みに関する。
【手続補正４】
【補正対象書類名】明細書
【補正対象項目名】０００９
【補正方法】変更
【補正の内容】
【０００９】
この発明は、上述した事情に鑑みてなされたものであり、受信機における処理負担を軽減できる位置算出の仕組みを提供することを目的としている。
【手続補正５】
【補正対象書類名】明細書
【補正対象項目名】００１０
【補正方法】変更
【補正の内容】
【００１０】
上記課題を解決するため、本発明は、位置算出用の複数の衛星と、端末と、演算装置とを用い、前記端末によって複数の衛星から受信された位置算出用信号に基づいて当該端末の位置を算出する位置算出方法であって、前記演算装置において前記複数の衛星を特定する過程と、特定された前記複数の衛星を前記演算装置から前記端末に通知する過程と、前記端末が、前記演算装置から通知されてきた前記複数の衛星から前記位置算出用信号を受信する過程と、前記端末が、前記複数の衛星から受信した位置算出用信号に基づいて得られる情報を前記演算装置に伝送する過程と、前記演算装置が、前記端末から伝送されてきた前記情報に基づいて当該端末の位置を算出する過程とを有することを特徴とする。